(57)【要約】【課題】  設定された時刻において、ラジオ番組等のコンテンツの最初から再生を可能とする。【解決手段】  予め設定された時刻にコンテンツデータを再生する携帯端末装置（１）であって、通信ネットワークを介してサーバ装置から識別データが付加されたコンテンツデータを取得する取得部（２）と、取得したコンテンツデータを記憶する記憶部（３）と、記憶されたコンテンツデータの再生開始時刻を設定する設定部（４）と、タイマーから取得した時刻情報に基づいて、現在時刻が再生開始時刻に到達したかどうかを判定する判定部（６）と、判定の結果、現在時刻が再生開始時刻に到達した場合、記憶部から記憶されているコンテンツデータを読み出して、読み出したコンテンツデータの先頭から再生する再生部（７）と、を備える。【選択図】  図１
2006186870.tif 000002
【特許請求の範囲】
【請求項１】
予め設定された時刻にコンテンツデータを再生する携帯端末装置であって、
通信ネットワークを介してサーバ装置から識別データが付加されたコンテンツデータを取得する取得部と、
前記取得したコンテンツデータを記憶する記憶部と、
前記記憶されたコンテンツデータの再生開始時刻を設定する設定部と、
タイマーから取得した時刻情報に基づいて、現在時刻が前記再生開始時刻に到達したかどうかを判定する判定部と、
前記判定の結果、現在時刻が前記再生開始時刻に到達した場合、前記記憶部から記憶されているコンテンツデータを読み出して、読み出したコンテンツデータの先頭から再生する再生部と、を備えることを特徴とする携帯端末装置。
【請求項２】
前記取得したコンテンツデータに付加されている識別データを抽出し、その識別データと一致する識別データが付加されたコンテンツデータが既に前記記憶部内に記憶されているかどうかを判定し、前記抽出した識別データと一致する識別データが付加されたコンテンツデータが既に記憶されている場合は、前記記憶部に対し、既に存在しているコンテンツデータに前記取得したコンテンツデータを上書きして記憶させる記憶制御部を備えることを特徴とする請求項１記載の携帯端末装置。
【請求項３】
予め設定された時刻にコンテンツデータを再生する携帯端末装置の制御プログラムであって、
通信ネットワークを介してサーバ装置から識別データが付加されたコンテンツデータを取得する処理と、
前記取得したコンテンツデータを記憶する処理と、
前記記憶されたコンテンツデータの再生開始時刻を設定する処理と、
タイマーから取得した時刻情報に基づいて、現在時刻が前記再生開始時刻に到達したかどうかを判定する処理と、
前記判定の結果、現在時刻が前記再生開始時刻に到達した場合、前記記憶部から記憶されているコンテンツデータを読み出して、読み出したコンテンツデータの先頭から再生する処理と、を含む一連の処理をコンピュータ読み取りおよび実行可能にコマンド化したことを特徴とする携帯端末装置の制御プログラム。
【請求項４】
前記取得したコンテンツデータに付加されている識別データを抽出する処理と、
前記読み出した識別データと一致する識別データが付加されたコンテンツデータが既に記憶されているかどうかを判定する処理と、
前記抽出した識別データと一致する識別データが付加されたコンテンツデータが既に記憶されている場合は、既に存在していたコンテンツデータに前記取得したコンテンツデータを上書きして記憶する処理と、を更に含むことを特徴とする請求項３記載の携帯端末装置の制御プログラム。
【発明の詳細な説明】
【技術分野】
【０００１】
本発明は、アラーム機能を有する携帯端末装置およびプログラムに関する。
【背景技術】
【０００２】
従来から、アラーム機能を有する携帯端末装置が知られている。この携帯端末装置は、タイマーを内蔵しており、ユーザにより設定された時刻になると、アラーム音を鳴動させる。これにより、目覚まし時計として携帯端末装置を機能させることができる。また、このような携帯端末装置には、アラーム機能によってラジオやデータプレイヤーの起動時刻を管理し、ユーザにより設定された時刻にスイッチがＯＮとなるものもある。これにより、ユーザの好みの番組や音楽を、設定した時刻に音声出力させることができる。
【０００３】
また、例えば、特開２００３−２３０１２３号公報には、ライブ番組として提供される映像等のコンテンツを利用者の要求を受けて配信する際に、その配信受付時刻が配信開始時刻に至らない時に、ライブ番組そのものである第１の映像・音声コンテンツに関連する第２の映像・音声コンテンツを配信し、配信開始時刻になった時点で第１の映像・音声コンテンツを中継・配信し、再生機能により、中継時に蓄積された主番組をその冒頭から再生して配信する（追いかけ再生）コンテンツ提供方法が開示されている。
【特許文献１】特開２００３−２３０１２３号公報
【発明の開示】
【発明が解決しようとする課題】
【０００４】
しかしながら、従来のアラーム機能は、ユーザが設定した時刻でのみ鳴動するものである。従って、アラーム機能でラジオやデータプレイヤーの起動時刻を管理する場合、ユーザが設定した時刻でのみその番組または音楽が音声出力される。ここで、ラジオ等の放送番組を音声出力させる場合、必ずしも番組の最初から出力されるわけではない。ユーザが設定した時刻に放送中の番組の音声が出力されるのである。このため、番組開始時刻より遅い時刻に時刻が設定された場合は、ユーザは、番組の途中からしかその番組を聴くことができない。
【０００５】
また、上記特許文献１に開示されているコンテンツ提供方法では、ライブ番組（映像・音声コンテンツ）の視聴開始時の負荷分散を図り、また、ライブ番組を途中から視聴した場合でも、追いかけ再生を行なって最初から視聴することを可能としているが、特定の時刻にコンテンツを再生させるという概念は存在しない。
【０００６】
本発明は、このような事情に鑑みてなされたものであり、設定された時刻において、ラジオ番組等のコンテンツの最初から再生を可能とする携帯端末装置およびプログラムを提供することを目的とする。
【課題を解決するための手段】
【０００７】
（１）上記の目的を達成するため、本発明は、以下のような手段を講じた。すなわち、本発明に係る携帯端末装置は、予め設定された時刻にコンテンツデータを再生する携帯端末装置であって、通信ネットワークを介してサーバ装置から識別データが付加されたコンテンツデータを取得する取得部と、前記取得したコンテンツデータを記憶する記憶部と、前記記憶されたコンテンツデータの再生開始時刻を設定する設定部と、タイマーから取得した時刻情報に基づいて、現在時刻が前記再生開始時刻に到達したかどうかを判定する判定部と、前記判定の結果、現在時刻が前記再生開始時刻に到達した場合、前記記憶部から記憶されているコンテンツデータを読み出して、読み出したコンテンツデータの先頭から再生する再生部と、を備えることを特徴としている。
【０００８】
このように、記憶されたコンテンツデータの再生開始時刻を設定し、現在時刻が再生開始時刻に到達した場合、記憶されているコンテンツデータを読み出して、読み出したコンテンツデータの先頭から再生するので、ラジオ番組などのコンテンツデータを予めＰｕｓｈ配信またはダウンロードによって取得し、そのコンテンツデータに再生開始時刻を設定しておけば、設定された時刻にその番組の最初から再生させることが可能となる。その結果、多様化したユーザのニーズに応じてコンテンツの再生を行なうことが可能となる。
【０００９】
（２）また、本発明に係る携帯端末装置は、前記取得したコンテンツデータに付加されている識別データを抽出し、その識別データと一致する識別データが付加されたコンテンツデータが既に前記記憶部内に記憶されているかどうかを判定し、前記抽出した識別データと一致する識別データが付加されたコンテンツデータが既に記憶されている場合は、前記記憶部に対し、既に存在しているコンテンツデータに前記取得したコンテンツデータを上書きして記憶させる記憶制御部を備えることを特徴としている。
【００１０】
このように、取得したコンテンツデータに付加されている識別データを抽出し、その識別データと一致する識別データが付加されたコンテンツデータが既に記憶部内に記憶されているかどうかを判定し、その抽出した識別データと一致する識別データが付加されたコンテンツデータが既に記憶されている場合は、記憶部に対し、既に存在しているコンテンツデータに前記取得したコンテンツデータを上書きして記憶させるので、常に最新のコンテンツデータを記憶することができる。その結果、ラジオ番組などのコンテンツデータを再生する際には、最新の番組を視聴することが可能となる。
【００１１】
（３）また、本発明に係るプログラムは、予め設定された時刻にコンテンツデータを再生する携帯端末装置の制御プログラムであって、通信ネットワークを介してサーバ装置から識別データが付加されたコンテンツデータを取得する処理と、前記取得したコンテンツデータを記憶する処理と、前記記憶されたコンテンツデータの再生開始時刻を設定する処理と、タイマーから取得した時刻情報に基づいて、現在時刻が前記再生開始時刻に到達したかどうかを判定する処理と、前記判定の結果、現在時刻が前記再生開始時刻に到達した場合、前記記憶部から記憶されているコンテンツデータを読み出して、読み出したコンテンツデータの先頭から再生する処理と、を含む一連の処理をコンピュータ読み取りおよび実行可能にコマンド化したことを特徴としている。
【００１２】
このように、記憶されたコンテンツデータの再生開始時刻を設定し、現在時刻が再生開始時刻に到達した場合、記憶されているコンテンツデータを読み出して、読み出したコンテンツデータの先頭から再生するので、ラジオ番組などのコンテンツデータを予めＰｕｓｈ配信またはダウンロードによって取得し、そのコンテンツデータに再生開始時刻を設定しておけば、設定された時刻にその番組の最初から再生させることが可能となる。その結果、多様化したユーザのニーズに応じてコンテンツの再生を行なうことが可能となる。
【００１３】
（４）また、本発明に係るプログラムは、前記取得したコンテンツデータに付加されている識別データを抽出する処理と、前記読み出した識別データと一致する識別データが付加されたコンテンツデータが既に記憶されているかどうかを判定する処理と、前記抽出した識別データと一致する識別データが付加されたコンテンツデータが既に記憶されている場合は、既に存在していたコンテンツデータに前記取得したコンテンツデータを上書きして記憶する処理と、を更に含むことを特徴としている。
【００１４】
このように、取得したコンテンツデータに付加されている識別データを抽出し、その識別データと一致する識別データが付加されたコンテンツデータが既に記憶部内に記憶されているかどうかを判定し、その抽出した識別データと一致する識別データが付加されたコンテンツデータが既に記憶されている場合は、記憶部に対し、既に存在しているコンテンツデータに前記取得したコンテンツデータを上書きして記憶させるので、常に最新のコンテンツデータを記憶することができる。その結果、ラジオ番組などのコンテンツデータを再生する際には、最新の番組を視聴することが可能となる。
【発明の効果】
【００１５】
本発明によれば、記憶されたコンテンツデータの再生開始時刻を設定し、現在時刻が再生開始時刻に到達した場合、記憶されているコンテンツデータを読み出して、読み出したコンテンツデータの先頭から再生するので、ラジオ番組などのコンテンツデータを予めＰｕｓｈ配信またはダウンロードによって取得し、そのコンテンツデータに再生開始時刻を設定しておけば、設定された時刻にその番組の最初から音声出力をさせることが可能となる。その結果、多様化したユーザのニーズに応じてコンテンツの再生を行なうことが可能となる。
【００１６】
また、取得したコンテンツデータに付加されている識別データを抽出し、その識別データと一致する識別データが付加されたコンテンツデータが既に記憶部内に記憶されているかどうかを判定し、その抽出した識別データと一致する識別データが付加されたコンテンツデータが既に記憶されている場合は、記憶部に対し、既に存在しているコンテンツデータに前記取得したコンテンツデータを上書きして記憶させるので、常に最新のコンテンツデータを記憶することができる。その結果、ラジオ番組などのコンテンツデータを再生する際には、最新の番組を視聴することが可能となる。
【発明を実施するための最良の形態】
【００１７】
本発明者は、ラジオやテレビ番組の開始時刻より遅い時刻にアラームが設定された場合は、ユーザは、番組の途中からしかその番組を視聴することができなかったことに着目し、コンテンツデータに再生開始時刻を設定することによって、そのコンテンツデータを所望の時刻に再生することができることを見出し、本発明をするに至った。
【００１８】
すなわち、本発明は、予め設定された時刻にコンテンツデータを再生する携帯端末装置であって、通信ネットワークを介してサーバ装置から識別データが付加されたコンテンツデータを取得する取得部と、前記取得したコンテンツデータを記憶する記憶部と、前記記憶されたコンテンツデータの再生開始時刻を設定する設定部と、タイマーから取得した時刻情報に基づいて、現在時刻が前記再生開始時刻に到達したかどうかを判定する判定部と、前記判定の結果、現在時刻が前記再生開始時刻に到達した場合、前記記憶部から記憶されているコンテンツデータを読み出して、読み出したコンテンツデータの先頭から再生する再生部と、を備えることを特徴とする。
【００１９】
これにより、本発明者は、ラジオ番組などのコンテンツデータを予めＰｕｓｈ配信またはダウンロードによって取得し、そのコンテンツデータに再生開始時刻を設定することによって、設定された時刻にその番組の最初から再生させることを可能とした。そして、多様化したユーザのニーズに応じてコンテンツの再生を行なうことを可能とした。以下、本発明の実施の形態について、図面を参照して説明する。
【００２０】
図１は、本実施の形態に係る携帯端末装置の概略構成を示すブロック図である。図１に示す携帯端末装置１では、送受信部２において無線を介してデータの送信および受信を行なう。この送受信部２は、図示しない基地局装置とデータの送信および受信を行なう機能を有する。具体的には、送受信部２は、基地局装置との通信を行なうための通信アンテナ、無線信号をデータに変換する受信回路およびデータを無線信号に変換する送信回路などから構成されている。この送受信部２が図示しないサーバ装置から配信されたコンテンツデータ（マルチメディア型のコンテンツデータ）を受信する。この送受信部２は取得部を構成する。
【００２１】
記憶部３は、コンテンツデータを記憶するコンテンツデータ記憶領域を有する。図２は、記憶部３の概念を示す図である。図２では、記憶部３は、例えば、２つのコンテンツデータ記憶領域３ａおよび３ｂを有している。コンテンツデータ記憶領域３ａでは、起動時刻が６：３０に設定されている。従って、コンテンツデータ記憶領域３ａに記憶されたコンテンツデータは、どのような種類・内容のコンテンツであっても、６：３０に起動・再生されることとなる。同様に、コンテンツデータ記憶領域３ｂでは、起動時刻が２２：３０に設定されており、コンテンツデータ記憶領域３ｂに記憶されたコンテンツデータは、どのような種類・内容のコンテンツであっても、２２：３０に起動・再生されることとなる。この記憶部３は、記憶部を構成し、具体的にはＲＡＭまたはハードディスクなどから構成される。
【００２２】
コンテンツデータ記憶領域３ａおよび３ｂに記憶されるコンテンツデータは、動画データ、静止画データ若しくは音声データまたはこれらの組み合わせから構成されるマルチメディアファイルである。これにより、ラジオやテレビの番組のコンテンツ、映画のコンテンツなどをアラームとして用いることができる。これにより、多様化したユーザのニーズに応じてアラームを機能させることが可能となる。
【００２３】
また、図１において、設定部４は、図２に示すコンテンツデータ記憶領域３ａおよび３ｂのそれぞれに記憶されているコンテンツデータを起動する時刻を、ユーザの操作部９における操作に基づいて、コンテンツデータ記憶領域３ａおよび３ｂ毎に設定する。具体的には、設定部４は、ＣＰＵ、ＲＡＭおよびＲＯＭから構成される。タイマー５は、時刻データを出力する。なお、タイマー５を備える代わりに、基地局またはＧＰＳ信号から時刻データを取得するように構成することも可能である。
【００２４】
判定部６は、タイマー５から取得した時刻データに基づいて、コンテンツデータ記憶領域３ａおよび３ｂに設定されている時刻に到達したかどうかを判定する。具体的には、判定部６は、ＣＰＵ、ＲＡＭおよびＲＯＭから構成される。再生部７は、判定部６による判定の結果、コンテンツデータ記憶領域３ａおよび３ｂに設定された時刻に到達した場合、コンテンツデータ記憶領域３ａまたは３ｂに記憶されているコンテンツデータを読み出して再生する。具体的には、再生部７は、ＣＰＵ、ＲＡＭ、音声データを可聴音として出力するための音声出力回路やスピーカ、画像データを表示するためのディスプレイ制御回路およびディスプレイ装置などから構成される。
【００２５】
特定部８は、送受信部２が受信したコンテンツデータ付加されている識別データを抽出して、そのコンテンツデータをどのコンテンツデータ記憶領域に記憶すべきかを特定する。コンテンツデータとしてのマルチメディア型コンテンツデータが頻繁に更新される場合は、コンテンツデータを同一のコンテンツデータ記憶領域に上書きしていく必要がある。このため、コンテンツデータにはユニークな識別データが付加されている。
【００２６】
特定部８は、この識別データを抽出して、コンテンツデータ記憶領域を特定する。具体的には、特定部８は、ＣＰＵおよびＲＡＭから構成される。このように、特定部８が、コンテンツデータに含まれる識別データに基づいて、記憶すべきコンテンツデータ記憶領域を特定するので、コンテンツデータの更新処理を迅速かつ正確に行なうことが可能となる。
【００２７】
操作部９は、ユーザの操作に基づいた入力信号を出力する機能を有する。具体的には、操作部９は、キーボードまたはプッシュ式のボタンなどから構成される。以上の各構成要素は、制御バス１０を介して相互にデータを送受信する。
【００２８】
次に、以上のように構成された本実施の形態に係る携帯端末装置の動作について説明する。ここでは、携帯端末装置として、携帯電話機を例にとって説明する。図３は、携帯電話機の動作を示すフローチャートであり、図４は、携帯電話機の動作の概念を示す図である。図４では、サーバ４０が、通信ネットワーク４１を介して携帯電話機４２に対してコンテンツデータを配信する様子を示している。
【００２９】
まず、サーバ４０からＰｕｓｈ配信またはダウンロードしたコンテンツデータを、コンテンツデータ記憶領域に記憶する（ステップＳ１）。ここで、コンテンツデータ記憶領域に未だコンテンツデータが記憶されていない場合（初期状態）は、そのコンテンツデータ記憶領域では初期の記憶となる。一方、コンテンツデータ記憶領域に既にコンテンツデータが記憶されている場合は、特定部８が、識別データに基づいて、記憶すべきコンテンツデータ記憶領域を特定し、記憶部３における当該特定されたコンテンツデータ記憶領域にそのコンテンツデータが上書きされる。従って、コンテンツデータ記憶領域には、常に最新のコンテンツデータが記憶されることとなる。
【００３０】
次に、ユーザによる操作部９の操作に応じた入力信号が入力されると、設定部４によってコンテンツデータ記憶領域毎に起動時刻が設定される（ステップＳ２）。そして、タイマー５から現在の時刻を取得し（ステップＳ３）、各コンテンツデータ記憶領域３ａおよび３ｂに設定されている起動時刻と、タイマー５から取得した現在の時刻とを照合する（ステップＳ４）。
【００３１】
そして、判定部６が、各コンテンツデータ記憶領域３ａおよび３ｂに設定されている起動時刻と、タイマー５から取得した現在の時刻とが一致しているかどうかを判断し（ステップＳ５）、両者が一致していない場合は、ステップＳ３へ移行する。一方、ステップＳ５において、両者が一致した場合は、再生部７が、そのコンテンツデータ記憶領域に記憶されているコンテンツデータを読み出して再生する（ステップＳ６）。これにより、起動時刻において、ラジオ番組などのコンテンツデータを、そのコンテンツデータの最初の部分からアラームとして再生することが可能となる。
【００３２】
以上のような本発明の特徴的な動作は、プログラムを実行することによって行なわれる。すなわち、このプログラムは、送受信部２によって、通信ネットワークを介してサーバ装置から識別データが付加されたコンテンツデータを取得する処理と、記憶部３によって、前記取得したコンテンツデータを記憶する処理と、設定部４によって、前記記憶されたコンテンツデータの再生開始時刻を設定する処理と、判定部６によって、タイマーから取得した時刻情報に基づいて、現在時刻が前記再生開始時刻に到達したかどうかを判定する処理と、前記判定の結果、現在時刻が前記再生開始時刻に到達した場合、再生部７によって、前記記憶部から記憶されているコンテンツデータを読み出して、読み出したコンテンツデータの先頭から再生する処理と、を含む一連の処理をコンピュータ読み取りおよび実行可能にコマンド化されている。
【００３３】
また、本発明に係るプログラムは、特定部８によって、前記取得したコンテンツデータに付加されている識別データを抽出する処理と、前記読み出した識別データと一致する識別データが付加されたコンテンツデータが既に記憶されているかどうかを判定する処理と、記憶部３によって、前記抽出した識別データと一致する識別データが付加されたコンテンツデータが既に記憶されている場合は、既に存在していたコンテンツデータに前記取得したコンテンツデータを上書きして記憶する処理と、を更に含む。
【００３４】
このようなプログラムは、ＣＤ−ＲＯＭやＤＶＤ等の記録媒体に記録された状態で入手することができる。また、このようなプログラムは、ネットワークを構成する公衆電話回線、専用電話回線、ケーブルテレビ回線、無線通信回線等により構成される通信網等の伝送媒体を介して、送信装置であるコンピュータにより送信された信号を受信することで入手することもできる。この信号は、プログラムを含む所定の搬送波に具現化されたコンピュータデータ信号である。この送信の際、伝送媒体中には上記プログラムの少なくとも一部を伝送していればよい。すなわち、上記プログラムを構成するすべてのデータが、一時に伝送媒体上に存在している必要はない。また、上記コンピュータからプログラムを送信する送信方法には、プログラムを構成するデータを連続的に送信する場合も、断続的に送信する場合も含まれる。
【００３５】
以上説明したように、本実施の形態に係る携帯端末装置によれば、コンテンツデータ記憶領域の単位で時刻を管理し、設定された時刻に到達した場合にそのコンテンツデータを再生するので、そのコンテンツデータ記憶領域に記憶されているデータの如何に関わらず、設定時刻にその記憶されているデータを最初から再生することができる。これにより、例えば、ラジオ番組などを予めＰｕｓｈ配信またはダウンロードによって取得し、そのコンテンツデータをコンテンツデータ記憶領域に記憶しておけば、アラームが設定された時刻に、その番組の最初から音声出力をさせることが可能となる。その結果、多様化したユーザのニーズに応じてアラームを機能させることが可能となる。
【図面の簡単な説明】
【００３６】
【図１】本実施の形態に係る携帯端末装置の概略構成を示すブロック図である。
【図２】記憶部の構成を示す図である。
【図３】本実施の形態に係る携帯端末装置の動作の概略を示すフローチャートである。
【図４】本実施の形態に係る携帯端末装置の動作の概念を示す図である。
【符号の説明】
【００３７】
１  携帯端末装置
２  送受信部
３  記憶部
３ａ  コンテンツデータ記憶領域
３ｂ  コンテンツデータ記憶領域
４  設定部
５  タイマー
６  判定部
７  再生部
８  操作部
８  特定部
９  操作部
１０  制御バス
４０  サーバ
４１  通信ネットワーク
４２  携帯電話機
【図１】
2006186870.tif 000003
【図２】
2006186870.tif 000004
【図３】
2006186870.tif 000005
【図４】
2006186870.tif 000006